(57)【要約】【課題】映像処理回路の多チャネル化を図った場合において、ダイナミックレンジ拡大、消費電流削減、チャネル間クロストーク削減、リップル削減等を実現する。【解決手段】映像処理回路１０の各チャネルの映像信号処理回路１１１，１１２，・・・，１１ｎに正電源電圧＋Ｖと接地電圧ＧＮＤを供給し、映像処理回路１０の各チャネルの出力駆動回路１２１，１２２，・・・，２１ｎに正電源電圧＋Ｖと負電源電圧−Ｖを供給する。その負電源電圧−Ｖは、チャージポンプ回路２０の各出力回路２２１、２２２，・・・，２２ｎから独立して供給する。【選択図】図１
2007267147.tif 000002
【特許請求の範囲】
【請求項１】
映像信号入力端子と、正電源電圧と接地電圧が供給され前記映像信号入力端子に入力した映像信号を適宜処理する映像信号処理回路と、正電源電圧と負電源電圧が供給され前記映像信号処理回路の出力信号を入力して増幅する出力駆動回路と、該出力駆動回路の出力信号が出力する映像信号出力端子とからなる組を１チャネルとして、ｎチャネルが設けられた映像処理回路と、
駆動制御回路と、正電源電圧と接地電圧が供給され前記駆動制御回路によって制御されて負電圧をそれぞれ発生する１〜ｎ個の出力回路とを有するチャージポンプ回路を備え、
前記チャージポンプ回路の前記１〜ｎ個の出力回路からそれぞれ出力する前記負電圧が、前記映像処理回路の前記各チャネルの出力駆動回路に、前記負電源電圧としてそれぞれ供給されるようにしたことを特徴とする映像回路。
【請求項２】
請求項１に記載の映像回路において、
前記映像処理回路の各チャネルの前記映像信号入力端子と前記映像信号処理回路との間に、前記映像信号入力端子に一端が接続されるコンデンサと、該コンデンサの他端に一端が接続され他端が前記映像信号処理回路の入力側に接続されるクランプ回路を接続したことを特徴とする映像回路。
【発明の詳細な説明】
【技術分野】
【０００１】
本発明は、複数チャネルの入力映像信号をれぞれ独立して処理する映像回路に係り、特にチャネル間クロストークやリップルの削減、消費電力削減、ダイナミックレンジの拡大等を図った映像回路に関するものである。
【背景技術】
【０００２】
図３に従来の映像回路を示す。ここでは、１チャネル分を示す。１０は映像処理回路であり、入力映像信号に対して画像処理（色相調整、コントラスト調整、拡大、縮小、エッジ強調、その他の処理）を行う映像信号処理回路１１、その映像信号処理回路１１の出力信号を増幅して例えば７５Ω負荷に供給する出力駆動回路１２を有する。映像信号処理回路１１と出力駆動回路１２には、正電源電圧＋Ｖと負電源電圧−Ｖが電源として供給される。１３は映像信号入力端子、１４は映像信号出力端子である。２０はチャージポンプ回路であり、駆動制御回路２１と出力回路２２からなり、出力回路２２から出力する負電圧−Ｖが映像処理回路１０の映像信号処理回路１１と出力駆動回路１２に負電源電圧として供給され、映像処理回路１０から出力する映像信号のダイナミックレンジの拡大化が図られている。
【０００３】
出力回路２２は、図４に示すように、コンデンサＣ１、Ｃ２、スイッチＳＷ１〜ＳＷ４からなり、駆動制御回路２１によって、スイッチＳＷ１，ＳＷ２をオン、スイッチＳＷ３，ＳＷ４をオフし、次にスイッチＳＷ１，ＳＷ２をオフ、スイッチＳＷ３，ＳＷ４をオンし、これを繰り返すことにより、コンデンサＣ１，Ｃ２には図示の極性の電荷が充電され、負電圧−Ｖが生成される。
【０００４】
しかし、このようにチャージポンプ回路２０により発生した負電圧を映像処理回路１０の全体に、つまり映像信号処理回路１１および出力駆動回路１２に供給する場合は、例えば、映像処理回路１０での消費電流がＩの場合には、チャージポンプ回路２０においても消費電流がＩとなり、合計で２Ｉの電流が消費され、消費電流が大きくなる。
【０００５】
そこで、特許文献１に記載のように、出力駆動回路１２（メインアンプ）のみに、チャージポンプ回路２０から負電圧を負電源電圧として供給して、消費電流を低減させることが考えられる。
【特許文献１】特開２００５−１５１４６８号公報
【発明の開示】
【発明が解決しようとする課題】
【０００６】
しかしながら、特許文献１に示すような対策を採っても、そのままでは、映像処理回路１０の多チャネル化を図った場合に、各チャネル間でクロストークが発生したり、大出力時の負電圧変動によるリップルが発生したりして、映像品質の劣化を招く恐れがある。
【０００７】
本発明の目的は、映像処理回路の多チャネル化を図った場合において、ダイナミックレンジ拡大、消費電流削減、チャネル間クロストーク削減、リップル削減等を実現できるようにした映像回路を提供することである。
【課題を解決するための手段】
【０００８】
上記目的を達成するために、請求項１にかかる発明は、映像信号入力端子と、正電源電圧と接地電圧が供給され前記映像信号入力端子に入力した映像信号を適宜処理する映像信号処理回路と、正電源電圧と負電源電圧が供給され前記映像信号処理回路の出力信号を入力して増幅する出力駆動回路と、該出力駆動回路の出力信号が出力する映像信号出力端子とからなる組を１チャネルとして、ｎチャネルが設けられた映像処理回路と、駆動制御回路と、正電源電圧と接地電圧が供給され前記駆動制御回路によって制御されて負電圧をそれぞれ発生する１〜ｎ個の出力回路とを有するチャージポンプ回路を備え、前記チャージポンプ回路の前記１〜ｎ個の出力回路からそれぞれ出力する前記負電圧が、前記映像処理回路の前記各チャネルの出力駆動回路に、前記負電源電圧としてそれぞれ供給されるようにしたことを特徴とする。
請求項２にかかる発明は、請求項１に記載の映像回路において、前記映像処理回路の各チャネルの前記映像信号入力端子と前記映像信号処理回路との間に、前記映像信号入力端子に一端が接続されるコンデンサと、該コンデンサの他端に一端が接続され他端が前記映像信号処理回路の入力側に接続されるクランプ回路を接続したことを特徴とする。
【発明の効果】
【０００９】
本発明によれば、各チャネルの出力駆動回路のみに負電圧が供給されるので、ダイナミックレンジ拡大を図りながらも消費電流削減を図ることができ、また、各チャネルの出力駆動回路への負電圧供給はチャージポンプ回路に設けた個々の出力回路から独立して行われるので、チャネル間クロストーク削減およびリップル削減を図ることができる。
【発明を実施するための最良の形態】
【００１０】
図１は本発明の実施例の映像回路の構成を示すブロック図である。映像処理回路１０は第１チャネル用の映像信号処理回路１１１と出力駆動回路１２１、第２チャネル用の映像信号処理回路１１２と出力駆動回路１２２、・・・、第ｎチャネル用の映像信号処理回路１１ｎと出力駆動回路１２ｎが設けられている。ｎは２以上の自然数である。
【００１１】
映像信号処理回路１１１，１１２，・・・，１１ｎには正電源電圧＋Ｖと接地電圧ＧＮＤが供給され、入力映像信号に対して画像処理（色相調整、コントラスト調整、拡大、縮小、エッジ強調、その他の処理）を行う。出力駆動回路１２１，１２２，・・・，１２ｎには正電源電圧＋Ｖと負電源電圧−Ｖが供給され、映像信号処理回路１１１，１１２，・・・，１１ｎの出力信号を増幅して例えば７５Ω負荷に供給する。
【００１２】
１３１，１３２，・・・，１３ｎは映像信号入力端子、１４１，１４２．・・・，１４ｎは映像信号出力端子である。各チャネルの入力映像信号としては、輝度信号のＹチャネル、コンポジット信号のＶチャネル、カラー信号のＣチャネル、ＲＧＢ信号のＲチャネル、Ｇチャネル、Ｂチャネル、その他がある。
【００１３】
チャージポンプ回路２０には、駆動制御回路２１と、その駆動制御回路２１によって個別に駆動制御されるｎ個の出力回路２２１，２２２，・・・，２２ｎが設けられている。この出力回路２２１，２２２，・・・，２２ｎとしては、それぞれ、前記した図４のような構成の回路を使用することができ、正電源電圧＋Ｖと接地電圧ＧＮＤが供給されて負電圧−Ｖを生成し、映像処理回路１０の各出力駆動回路１２１，１２２，・・・，１２ｎに負電源電圧−Ｖとして供給する。
【００１４】
以上の構成によって、各チャネルの映像信号処理回路１１１，１１２，・・・，１１ｎには正電源電圧＋Ｖと接地電圧ＧＮＤが供給され、正電源電圧＋Ｖと負電源電圧−Ｖは出力駆動回路１２１，１２２，・・・，１２ｎのみに供給されるので、各チャネルにおいて最大＋Ｖから−Ｖまで振幅を確保してダイナミックレンジを拡大を図りながら、消費電流を削減することができる。
【００１５】
また、負電源電圧−Ｖは出力駆動回路１２１，１２２，・・・，１２ｎに個々に独立して供給されるので、チャネル間のクロストークが削減でき、また、出力駆動回路１２１，１２２，・・・，１２ｎの内の一部のチャネルの回路が大電流で動作する場合があっても、他のチャネルの回路には影響を与えないので、リップルが悪化することも防止できる。
【００１６】
図２は別の実施例の映像回路の構成を示すブロック図である。図２の映像回路では、各チャネルの映像信号入力端子１３１，１３２，・・・，１３ｎと映像信号処理回路１１１，１１２，・・・，１１ｎとの間に、外付けの直流カット用のコンデンサＣ１１，Ｃ１２，・・・,Ｃ１ｎと入力クランプ回路１５１，１５２，・・・，１５ｎを接続して、各チャネルにおいて、入力する映像信号のシンクチップやペデスタルを所定のレベルにクランプするようにした。このようにすることで、映像信号のペデスタルが固定されるので映像信号のＡＰＬ（映像信号平均レベル）の変動が少なくなり、出力駆動回路１２１，１２２，・・・，１２ｎのダイナミックレンジに余裕をもたせることができる。
【００１７】
なお、上記実施例では、ｎ個の出力回路から出力する負電圧がそれぞれｎ個の出力駆動回路に供給される場合について説明したが、映像品質の劣化のない範囲で、１個の出力回路から出力される負電圧が、２個以上の出力駆動回路に供給される場合もある。例えば、入力映像信号がＹ（輝度）信号、Ｃ（カラー）信号、Ｖ（ＹＣ重畳）信号、Ｒ（レッド）信号、Ｇ（グリーン）信号、Ｂ（ブルー）信号の場合、１つの出力回路から、Ｙ信号、Ｃ信号、Ｖ信号が入力する映像処理回路の出力駆動回路に負電圧を供給し、別の１つの出力回路からＲ信号、Ｇ信号、Ｂ信号が入力する映像処理回路の出力駆動回路に負電圧を供給するように構成してもよい。あるいはさらに、１つの出力回路からＹ信号、Ｖ信号が入力する映像処理回路の出力駆動回路に負電圧を供給し、別の１つの出力回路からＣ信号が入力する映像処理回路の出力駆動回路に負電圧を供給するように構成してもよい。このような構成にすると、出力回路の個数を出力駆動回路の個数より減らすことができ、チップ面積の小型化のために有効となる。
【図面の簡単な説明】
【００１８】
【図１】本発明の実施例の映像回路の構成を示すブロック図である。
【図２】本発明の別の実施例の映像回路の構成を示すブロック図である。
【図３】従来の映像回路の構成を示すブロック図である。
【図４】チャージポンプ回路の出力回路の回路図である。
【符号の説明】
【００１９】
１０：映像処理回路、１１１〜１１ｎ：映像信号処理回路、１２１〜１２ｎ：出力駆動回路、１３，１３１〜１３ｎ：映像信号入力端子、１４，１４１〜１４ｎ：映像信号出力端子、１５１〜１５ｎ：入力クランプ回路
２０：チャージポンプ回路、２１：駆動制御回路、２２，２２１〜２２ｎ：出力回路
【図１】
2007267147.tif 000003
【図２】
2007267147.tif 000004
【図３】
2007267147.tif 000005
【図４】
2007267147.tif 000006